(57)【要約】      （修正有）【課題】十分な量の2種類の液体を基材のターゲットエリアに施与するシステムを提供する。【解決手段】システムは、基材Sを基材Sの表面に平行な方向Lに沿って搬送するための、コンベヤ50、さらに、第1から第3の施与ユニット30aから30cが、1対のガイドレール60a，60bによって、ユニット30aから30cがガイドレール60a，60bに沿って高速で基材の搬送方向Lと直交する方向Tに往復移動することができるように構成される。「ピクチャ」に関係するデータに基づいて、制御ユニットは、施与ユニット30aから30cおよびコンベヤ50が協調的に動作するように、施与ユニット30aから30cの施与動作および往復移動ならびにコンベヤ50の搬送動作を同時に制御する。その結果、基材Sが施与ユニット30aから30cの下を通過する時、第1および第2の配合物、バインダがそれぞれ、それらの指定されたエリア上に施与される。【選択図】図４
2018171567.tif 000002
【特許請求の範囲】
【請求項１】
少なくとも2種類の液体を基材(S)のそれぞれのターゲットエリア上に施与するためのシステム(1)であって、
第1の液体(F1)を収容し、加圧ガスの圧力を前記第1の液体(F1)に作用させることができるように構成される、第1の貯蔵ユニット(10a)と、
第2の液体(F2)を収容し、加圧ガスの圧力を前記第2の液体(F2)に作用させることができるように構成される、第2の貯蔵ユニット(10b)と、
前記第1の貯蔵ユニット(10a)に流体接続される第1のアプリケータ(30a)であって、前記基材(S)に面するように配設された少なくとも1つのノズル(300a)を備え、前記第1の貯蔵ユニット(10a)内の前記第1の液体(F1)を前記加圧ガスの前記圧力の前記作用によって前記ノズル(300a)から前記基材(S)に向かって噴霧することができるように構成される、第1のアプリケータ(30a)と、
前記第2の貯蔵ユニット(10b)に流体接続される第2のアプリケータ(30b)であって、前記基材(S)に面するように配設された少なくとも1つのノズル(300b)を備え、前記第2の貯蔵ユニット(10b)内の前記第2の液体(F2)を前記加圧ガスの前記圧力の前記作用によって前記ノズル(300b)から前記基材(S)に向かって噴霧することができるように構成される、第2のアプリケータ(30b)と、
少なくとも前記第1および第2のアプリケータ(30a，30b)に作用的に接続されるコントローラ(40)であって、前記第1のアプリケータ(30a)が前記第1の液体(F1)を前記基材(S)上の前記第1の液体(F1)のターゲットエリアに向かって噴霧し、前記第2のアプリケータ(30b)が前記第2の液体(F2)を前記基材(S)上の前記第2の液体(F2)のターゲットエリアに向かって噴霧するように、前記第1および第2のアプリケータ(30a，30b)の噴霧動作を個別に制御することができるように構成される、コントローラ(40)と
を備える、システム(1)。
【請求項２】
少なくとも2種類の液体を基材(S)のそれぞれのターゲットエリア上に施与するためのシステム(1)であって、
第1の液体(F1)を収容する第1の貯蔵ユニット(10a)と、
第2の液体(F2)を収容する第2の貯蔵ユニット(10b)と、
少なくとも前記第1の貯蔵ユニット(10a)および前記第2の貯蔵ユニット(10b)に流体接続される加圧ガス供給ユニット(20)であって、加圧ガスの圧力を前記貯蔵ユニット(10a，10b)内の少なくとも前記第1および第2の液体(F1，F2)に作用させることができるように構成される、加圧ガス供給ユニット(20)と、
前記第1の貯蔵ユニット(10a)に流体接続される第1のアプリケータ(30a)であって、前記基材(S)に面するように配設された少なくとも1つのノズル(300a)を備え、前記第1の貯蔵ユニット(10a)内の前記第1の液体(F1)を前記加圧ガス供給ユニット(20)からの前記加圧ガスの前記作用によって前記ノズル(300a)から前記基材(S)に向かって噴霧することができるように構成される、第1のアプリケータ(30a)と、
前記第2の貯蔵ユニット(10b)に流体接続される第2のアプリケータ(30b)であって、前記基材(S)に面するように配設された少なくとも1つのノズル(300b)を備え、前記第2の貯蔵ユニット(10b)内の前記第2の液体(F2)を前記加圧ガス供給ユニット(20)からの前記加圧ガスの前記作用によって前記ノズル(300b)から前記基材(S)に向かって噴霧することができるように構成される、第2のアプリケータ(30b)と、
少なくとも前記第1および第2のアプリケータ(30a，30b)に作用的に接続されるコントローラ(40)であって、前記第1のアプリケータ(30a)が前記第1の液体(F1)を前記基材(S)上の前記第1の液体(F1)のターゲットエリアに向かって噴霧し、前記第2のアプリケータ(30b)が前記第2の液体(F2)を前記基材(S)上の前記第2の液体(F2)のターゲットエリアに向かって噴霧するように、前記第1および第2のアプリケータ(30a，30b)の噴霧動作を個別に制御することができるように構成される、コントローラ(40)と
を備える、システム(1)。
【請求項３】
前記第1のアプリケータ(30a)が少なくとも1つの第1の弁(310a)を備え、この弁が、前記ノズル(300a)に対応すると共に、前記第1の液体(F1)が前記ノズル(300a)に流れるようにするか、または流れるのを阻止するために開放/閉鎖されるように動作可能であり、
前記第2のアプリケータ(30b)が少なくとも1つの第2の弁(310b)を備え、この弁が、前記ノズル(300b)に対応すると共に、前記第2の液体(F2)が前記ノズル(300b)に流れるようにするか、または流れるのを阻止するために開放/閉鎖されるように動作可能であり、
前記コントローラ(40)が、前記第1および第2の弁(310a，310b)の開放/閉鎖動作を個別に制御することができるように構成される、請求項1または2に記載のシステム(1)。
【請求項４】
前記基材(S)を前記基材(S)の表面に平行な方向に沿って搬送するためのコンベヤ(50)をさらに備え、
前記コントローラ(40)が、前記第1および第2のアプリケータ(30a，30b)ならびに前記コンベヤ(50)が協調的に動作するように、前記第1および第2のアプリケータ(30a，30b)の前記噴霧動作ならびに前記コンベヤ(50)の搬送動作を同時に制御することができるように構成される、請求項1から3のいずれか一項に記載のシステム(1)。
【請求項５】
前記第1および第2のアプリケータ(30a，30b)が、前記基材(S)の搬送方向と直交する方向に往復移動することができるように構成され、
前記コントローラ(40)が、前記第1および第2のアプリケータ(30a，30b)ならびに前記コンベヤ(50)が協調的に動作するように、前記第1および第2のアプリケータ(30a，30b)の前記噴霧動作および前記往復移動ならびに前記コンベヤ(50)の前記搬送動作を同時に制御することができるように構成される、請求項4に記載のシステム(1)。
【請求項６】
第3の液体(F3)を収容するための第3の貯蔵ユニット(10c)であって、前記加圧ガス供給ユニット(20)がさらに流体接続される、第3の貯蔵ユニット(10c)と、
前記第3の貯蔵ユニット(10c)に流体接続される第3のアプリケータ(30c)であって、前記基材(S)に面するように配設された少なくとも1つのノズル(300c)を備え、前記第3の貯蔵ユニット(10c)内の前記第3の液体(F3)を前記加圧ガス供給ユニット(20)からの前記加圧ガスの前記作用によって前記ノズル(300c)から前記基材(S)に向かって噴霧することができるように構成される、第3のアプリケータ(30c)と
をさらに備え、
前記コントローラ(40)が、前記第3のアプリケータ(30c)が前記第3の液体(F3)を前記基材(S)上の前記第1の液体(F1)の前記ターゲットエリアと前記第2の液体(F2)の前記ターゲットエリアとの間の境界エリアに向かって噴霧するように、前記第1から第3のアプリケータ(30a，30b，30c)の前記噴霧動作を個別に制御することができるように構成される、請求項2から5のいずれか一項に記載のシステム(1)。
【請求項７】
前記第3のアプリケータ(30c)が少なくとも1つの第3の弁(310c)を備え、この弁が、前記ノズル(300c)に対応し、前記第3の液体(F3)が前記ノズル(300c)に流れるようにするか、または流れるのを阻止するために開放/閉鎖されるように動作可能であり、
前記コントローラ(40)が、前記第1から第3の弁(310a，310b，310c)の開放/閉鎖動作を個別に制御することができるように構成される、請求項3を引用する場合の請求項6に記載のシステム(1)。
【請求項８】
前記加圧ガス供給ユニット(20)がコンプレッサおよび/または加圧ガス貯蔵タンクである、請求項2から7のいずれか一項に記載のシステム(1)。
【請求項９】
前記加圧ガスが加圧空気である、請求項1から8のいずれか一項に記載のシステム(1)。
【請求項１０】
前記基材(S)が、化粧用物品のシート状基材である、請求項1から9のいずれか一項に記載のシステム(1)。
【請求項１１】
少なくとも2種類の液体を基材(S)のそれぞれのターゲットエリア上に施与するための方法であって、
少なくとも第1の液体(F1)および第2の液体(F2)を提供するステップと、
前記第1の液体(F1)を加圧ガスの作用によって前記基材(S)上の前記第1の液体(F1)のターゲットエリアに施与するステップと、
前記第2の液体(F2)を前記加圧ガスの前記作用によって前記基材(S)上の前記第2の液体(F2)のターゲットエリアに施与するステップと、
を含み、
前記第1の液体(F1)の前記施与および前記第2の液体(F2)の前記施与が協調的に行われる、方法。
【請求項１２】
少なくとも2種類の液体を基材(S)のそれぞれのターゲットエリア上に、請求項1から10のいずれか一項に記載のシステム(1)を使用して施与するための方法であって、
前記第1の貯蔵ユニット(10a)から第1の液体(F1)を提供するステップと、
前記第2の貯蔵ユニット(10b)から第2の液体(F2)を提供するステップと、
前記第1の液体(F1)を前記加圧ガスの作用によって前記基材(S)上の前記第1の液体(F1)のターゲットエリアに、前記第1のアプリケータ(30a)を使用して施与するステップと、
前記第2の液体(F2)を前記加圧ガスの前記作用によって前記基材(S)上の前記第2の液体(F2)のターゲットエリアに、前記第2のアプリケータ(30b)を使用して施与するステップと
を含み、
前記第1の液体(F1)の前記施与および前記第2の液体(F2)の前記施与が、前記コントローラ(40)によって協調的に行われる、方法。
【請求項１３】
少なくとも2種類の液体を基材(S)のそれぞれのターゲットエリア上に、請求項1から10のいずれか一項に記載のシステム(1)を使用して施与することによって作製される、製品(M)。
【請求項１４】
前記液体の単位面積当たりの施与レベルが、少なくとも300グラム/m2である、請求項13に記載の製品(M)。
【請求項１５】
顔用マスクなどの化粧用物品である、請求項13または14に記載の製品(M)。
【請求項１６】
少なくとも2種類の液体を基材(S)のそれぞれのターゲットエリア上に、請求項11または12に記載の方法を使用して施与することによって作製される、製品(M)。
【請求項１７】
前記液体の単位面積当たりの施与レベルが、少なくとも300グラム/m2である、請求項16に記載の製品(M)。
【請求項１８】
顔用マスクなどの化粧用物品である、請求項16または17に記載の製品(M)。
【発明の詳細な説明】
【技術分野】
【０００１】
本発明は、例えば顔用マスクなどを形成するために、少なくとも2種類の液体、特に化粧料配合物を含む流体配合物を、基材のそれぞれのターゲットエリア上に施与するためのシステムおよび方法に関する。本発明はさらに、そのようなシステムおよび方法によって作製された製品に関する。
【背景技術】
【０００２】
使用者の顔に求められるスキンケアは、使用者の領域ごとに異なり、これらの異なる領域に必要とされるケアは異なっている。例えば、皮膚のTゾーンは、皮膚のUゾーンよりも脂性である傾向があり、したがって、顔のこれら2つのゾーンに必要とされるスキンケア組成物は互いに異なっている。別の例は、目の周りのゾーンと顔の残りのゾーンであり、その両方が、異なる皮膚処置剤を必要とする。
【０００３】
異なる皮膚ゾーンにおいて異なる局所組成物が求められることは、極めて明白である。しかしながら、いくつかの別個の化粧製品組成物を扱うことは、使用者にとって不便である。換言すれば、異なる化粧用組成物を異なるゾーンのところに適切な分量施与することは困難な場合がある。したがって、複数の化粧料組成物からなる単一製品が必要とされている。ターゲットゾーン用の異なる化粧料配合物を含む基材ベースの化粧製品が、そのような多機能製品の解決策となり得る。
【０００４】
顔用マスク、パッチおよびワイプは、最もポピュラーな基材ベースの化粧製品である。本明細書では、「基材ベースの化粧製品」とは、基材に液体化粧料が含侵される化粧製品を指す。そのような製品中への含侵のレベルは製品ごとに異なる。一般に、顔用マスクの場合、含侵のレベルは、マスクシート当たり15グラムから40グラムであり、ワイプの場合、含侵のレベルは、ワイプシート当たり3グラムから6グラムである。
【０００５】
したがって、十分な分量の異なる化粧料配合物を、基材のそれぞれのターゲットエリア上に、これらの化粧料配合物の混合を伴わずに施与することができるシステムを開発することが必要とされている。
【０００６】
以下の文献の中で、本発明に関係する従来技術が開示されている。
【０００７】
特許文献1は、化粧処置物品、より具体的には、異なるゲル配合物からなる顔用マスクを提案している。しかし、特許文献1は、異なるゲル配合物をマスクのそれぞれのターゲットエリア上に施与することができるシステムを開示していない。さらに、配合物はゲル状なので、皮膚への配合物の移転は限られている。
【０００８】
特許文献2は、エリアに特定的な処置剤を備えた温度制御される顔用マスクについて述べており、ここでは、処置剤または配合物は基材の2つの層間に挟まれている。これらの配合物は、基材のターゲットゾーン上に、リソグラフィ、スクリーン印刷、インクジェット印刷など、任意の描画技法によって施与することができる。しかしなら、特許文献2は、これらの技法を用いて基材上への十分な分量の配合物の堆積をどのように達成するかについて述べていない。
【０００９】
特許文献3は、マスクまたはパッチの形態で化粧用活性剤のターゲット化および個別化された送達を行うべく自動または手動で評価するための方法およびシステムについて述べている。特許文献3は、組成物を基材上に分解せずに印刷することができるようにヒートレス印刷システムを使用することを提案している。しかしならが、特許文献3は、基材上への十分な分量の配合物の印刷をどのように達成するかについて述べていない。
【００１０】
上記文献のいずれも、基材を顔用マスク/パッチとして使用できるように基材上に印刷する必要のある配合物の量については述べていない。さらに、これらの文献は、異なる配合物の混合を回避することができるように基材上に不連続領域をどのように作成するかについても、述べていない。
【００１１】
基材上での2種の隣接する配合物の混合を解消するために、乾燥ステージにおける基材上への異なる化粧料組成物の施与が、特許文献4の中ですでに提案されている。しかしながら、そのような基材ベースの製品を利用する上での制限は、そのような製品中に多量のポリオールまたはオイルを、それらが完全に乾燥し得ないので、使用できないということである。したがって、そのような製品は、現在市場で販売されているパッケージングされたマスクと同じ感覚的経験を使用者にもたらさない。
【００１２】
さらに、確実に基材上で2種の連続する湿潤配合物が混合しないようにするような組成物の選択も、特許文献5の中で提案されている。しかし、この従来技術にはそれでもなお、異なる領域に十分な分量の配合物を含侵させることができるシステムを要するという欠点がある。
【先行技術文献】
【特許文献】
【００１３】
【特許文献１】米国特許出願公開第2006/0104931号明細書
【特許文献２】米国特許出願公開第2010/0191314号明細書
【特許文献３】国際公開第2011/146321号パンフレット
【特許文献４】国際公開第2015/140283号パンフレット
【特許文献５】国際公開第2015/097207号パンフレット
【発明の概要】
【発明が解決しようとする課題】
【００１４】
上記に鑑みて、本発明の目的は、十分な量の少なくとも2種類の液体、特に流体配合物を、基材のそれぞれのターゲットエリア上に施与するための、新たな解決策を提供することである。
【課題を解決するための手段】
【００１５】
上記の目的を達成するために、本発明は以下のもの、すなわち、少なくとも2種類の液体を基材のそれぞれのターゲットエリア上に施与するためのシステムであって、第1の液体を収容し、加圧ガスの圧力を第1の液体に作用させることができるように構成される、第1の貯蔵ユニットと、第2の液体を収容し、加圧ガスの圧力を第2の液体に作用させることができるように構成される、第2の貯蔵ユニットと、第1の貯蔵ユニットに流体接続される第1のアプリケータであって、基材に面するように配設された少なくとも1つのノズルを備え、第1の貯蔵ユニット内の第1の液体を加圧ガスの圧力の作用によってノズルから基材に向かって噴霧することができるように構成される、第1のアプリケータと、第2の貯蔵ユニットに流体接続される第2のアプリケータであって、基材に面するように配設された少なくとも1つのノズルを備え、第2の貯蔵ユニット内の第2の液体を加圧ガスの圧力の作用によってノズルから基材に向かって噴霧することができるように構成される、第2のアプリケータと、少なくとも第1および第2のアプリケータに作用的に接続されるコントローラであって、第1のアプリケータが第1の液体を基材上の第1の液体のターゲットエリアに向かって噴霧し、第2のアプリケータが第2の液体を基材上の第2の液体のターゲットエリアに向かって噴霧するように、第1および第2のアプリケータの噴霧動作を個別に制御することができるように構成される、コントローラとを含むシステムを提供する。特に、上記の目的を達成するために、本発明は以下のもの、すなわち、少なくとも2種類の液体を基材のそれぞれのターゲットエリア上に施与するためのシステムであって、第1の液体を収容する第1の貯蔵ユニットと、第2の液体を収容する第2の貯蔵ユニットと、少なくとも第1の貯蔵ユニットおよび第2の貯蔵ユニットに流体接続される加圧ガス供給ユニットであって、加圧ガスの圧力を貯蔵ユニット内の少なくとも第1および第2の液体に作用させることができるように構成される、加圧ガス供給ユニットと、第1の貯蔵ユニットに流体接続される第1のアプリケータであって、基材に面するように配設された少なくとも1つのノズルを含み、第1の貯蔵ユニット内の第1の液体を加圧ガス供給ユニットからの加圧ガスの作用によってノズルから基材に向かって噴霧することができるように構成される、第1のアプリケータと、第2の貯蔵ユニットに流体接続される第2のアプリケータであって、基材に面するように配設された少なくとも1つのノズルを含み、第2の貯蔵ユニット内の第2の液体を加圧ガス供給ユニットからの加圧ガスの作用によってノズルから基材に向かって噴霧することができるように構成される、第2のアプリケータと、少なくとも第1および第2のアプリケータに作用的に接続されるコントローラであって、第1のアプリケータが第1の液体を基材上の第1の液体のターゲットエリアに向かって噴霧し、第2のアプリケータが第2の液体を基材上の第2の液体のターゲットエリアに向かって噴霧するように、第1および第2のアプリケータの噴霧動作を個別に制御することができるように構成される、コントローラとを含むシステムを提供する。本発明はさらに、少なくとも2種類の液体を基材のそれぞれのターゲットエリア上に施与するための方法であって��少なくとも第1の液体および第2の液体を提供するステップと、第1の液体を加圧ガスの作用によって基材上の第1の液体のターゲットエリアに施与するステップと、第2の液体を加圧ガスの作用によって基材上の第2の液体のターゲットエリアに施与するステップとを含み、第1の液体の施与および第2の液体の施与が協調的に行われる方法を提供する。本発明はさらに、少なくとも2種類の液体を基材のそれぞれのターゲットエリア上に、上述したシステムを使用して施与するための方法であって、第1の貯蔵ユニットから第1の液体を提供するステップと、第2の貯蔵ユニットから第2の液体を提供するステップと、第1の液体を加圧ガスの作用によって基材上の第1の液体のターゲットエリアに、第1のアプリケータを使用して施与するステップと、第2の液体を加圧ガスの作用によって基材上の第2の液体のターゲットエリアに、第2のアプリケータを使用して施与するステップとを含み、第1の液体の施与および第2の液体の施与が、コントローラによって協調的に行われる方法を提供する。加えて、本発明は、少なくとも2種類の液体を基材のそれぞれのターゲットエリア上に、上述したシステムまたは方法を使用して施与することによって作製される製品を提供する。
【００１６】
本発明のシステムおよび方法によれば、少なくとも2種類の液体は、加圧ガスの作用によって基材のそれぞれのターゲットエリア上に施与される。したがって、本発明によれば、液体を、基材のそれぞれのターゲットエリア上に、リソグラフィ、スクリーン印刷、インクジェット印刷などの方法に比べて単位時間当たりかなり大量に施与することができる。その結果、十分な量の少なくとも2種類の液体が基材の個別のターゲットエリア上に施与された、基材ベースの湿潤製品を、短い時間内に効率良く得ることができる。それにより得られた製品は、ターゲット化された処置のために、使用者の身体の表面上に直接載置されてよい。あるいは、そのような製品は、異なる液体のいかなる混合もなくパッケージング可能となるように半乾燥されてもよい。
【００１７】
本発明の好ましい一態様では、第1のアプリケータが少なくとも1つの第1の弁を含み、この弁が、ノズルに対応し、第1の液体がノズルに流れるようにするか、または流れるのを阻止するために、開放/閉鎖されるように動作可能であり、第2のアプリケータが少なくとも1つの第2の弁を含み、この弁が、ノズルに対応し、第2の液体がノズルに流れるようにするか、または流れるのを阻止するために、開放/閉鎖されるように動作可能であり、コントローラが、第1および第2の弁の開放/閉鎖動作を個別に制御することができるように構成される。
【００１８】
本発明の好ましい一態様では、システムが、基材を基材の表面に平行な方向に沿って搬送するためのコンベヤをさらに含み、コントローラが、第1および第2のアプリケータならびにコンベヤが協調的に動作するように、第1および第2のアプリケータの噴霧動作ならびにコンベヤの搬送動作を同時に制御することができるように構成される。
【００１９】
本発明の好ましい一態様では、第1および第2のアプリケータが、基材の搬送方向と直交する方向に往復移動することができるように構成され、コントローラが、第1および第2のアプリケータならびにコンベヤが協調的に動作するように、第1および第2のアプリケータの噴霧動作および往復移動ならびにコンベヤの搬送動作を同時に制御することができるように構成される。
【００２０】
本発明の好ましい一態様では、システムが、第3の液体を収容するための第3の貯蔵ユニットであって、加圧ガス供給ユニットがさらに流体接続される第3の貯蔵ユニットと、第3の貯蔵ユニットに流体接続される第3のアプリケータであって、基材に面するように配設された少なくとも1つのノズルを含み、第3の貯蔵ユニット内の第3の液体を加圧ガス供給ユニットからの加圧ガスの作用によってノズルから基材に向かって噴霧することができるように構成される第3のアプリケータとをさらに含み、コントローラが、第3のアプリケータが第3の液体を基材上の第1の液体のターゲットエリアと第2の液体のターゲットエリアとの間の境界エリアに向かって噴霧するように、第1から第3のアプリケータの噴霧動作を個別に制御することができるように構成される。本態様によれば、例えば、バインダ、好ましくは速乾性バインダが、第3の液体として使用される場合、施与後に第1の液体と第2の液体がこれら2種の液体間の境界内で混合するのを確実に防止することができる。
【００２１】
本発明の好ましい一態様では、第3のアプリケータが少なくとも1つの第3の弁を含み、この弁が、ノズルに対応し、第3の液体がノズルに流れるようにするか、または流れるのを阻止するために、開放/閉鎖されるように動作可能であり、コントローラが、第1から第3の弁の開放/閉鎖動作を個別に制御することができるように構成される。
【００２２】
本発明の好ましい一態様では、加圧ガス供給ユニットがコンプレッサおよび/または加圧ガス貯蔵タンクである。さらに、加圧空気を加圧ガスとして使用することが、特に好ましい。
【００２３】
基材は、化粧用物品、例えば顔用マスク、顔用パッチ、または顔用ワイプのシート状基材とすることができる。
【００２４】
本発明による製品の好ましい一態様では、液体の単位面積当たりの施与レベルは、少なくとも300グラム/m2とすることができる。さらに、好ましい一態様では、製品は、顔用マスクなどの化粧用物品とすることができる。
【００２５】
以下、本発明の非限定的で代表的な実施形態について、添付の図面を参照して下に詳細に説明する。
【図面の簡単な説明】
【００２６】
【図１】本発明の一実施形態による、2種の化粧料配合物およびバインダを基材のそれぞれのターゲットエリア上に施与するためのシステムの概略図である。
【図２Ａ】図1の線X-Xに沿った、システムの施与ユニットの断面図である。
【図２Ｂ】図2AのIIb部分の拡大図である。
【図３】図1に示すシステムの施与ユニットの斜視図である。
【図４】図1に示すシステムによって施与プロセスが実行されているところを例示する平面図である。
【図５】配合物の単位面積当たりの施与レベルと空気圧力との関係を例示する折れ線グラフである。
【図６】配合物の単位面積当たりの施与レベルと配合物を用いて基材上に描かれる「ピクチャ」の解像度との関係を例示する折れ線グラフである。
【図７】配合物の単位面積当たりの施与レベルとノズルサイズとの関係を例示する折れ線グラフである。
【図８】基材上への配合物の施与量と配合物の単位面積当たりの施与レベルとの関係を例示する折れ線グラフである。
【発明を実施するための形態】
【００２７】
ここで、本発明の一実施形態について、図1から図4を参照して説明する。下に説明する実施形態では、3種類の液体、すなわち、2種の流体化粧料配合物および1種のバインダが使用される。しかしながら、本発明は、2種の流体配合物のみを使用しバインダを使用せずに、または3種類以上の液体を使用しバインダを使用してもしくは使用せずに、同様に実施されてもよい。
【００２８】
図1に参照番号1によって大まかに例示し表すシステムは、2種の化粧料配合物および1種のバインダを基材Sの(下に詳細に説明する)別々のターゲットエリア上に施与するために使用される。本実施形態では、基材Sは、化粧用物品、特に顔用マスクのシート状基材である。基材Sは、例えば、セルロースからなる不織シート、より具体的には、100%ビスコーススパンレース不織シート50gsm(グラム/m2)から、製造される。基材Sは、どんな形状およびサイズとすることもでき、例の1つが、顔用マスクの形状をとる基材Sであり得る。システム1を使用して、2種の化粧料配合物(美容液、ローションなど)が基材S上に施与され(または基材S中に含侵され)、それにより、湿潤顔用マスクが得られる。通常、顔用マスクとしての役割を果たす基材Sの使用者の目および口に対応する位置に、楕円形開口が形成される。さらに、使用者の鼻に対応する位置に、U字形スリットが形成される(図4を参照されたい)。
【００２９】
システム1は、異なる構成成分製の第1の配合物F1および第2の配合物F2をそれぞれ収容する第1および第2の貯蔵タンク10a，10b、ならびに速乾性バインダF3を収容する第3の貯蔵タンク10cを含む。タンク10a，10bおよび10cは、別々の状態にあってもよく、図面に示すように統合されていてもよい。タンク10a，10bおよび10cはまた、後に説明する施与ユニット(すなわちアプリケータ)から離れた位置に設置されていてもよく、それらのそれぞれの対応する施与ユニットと統合されていてもよい。
【００３０】
システム1は、第1から第3のタンク10aから10cに可撓管100を通じて流体接続される、加圧ガス供給ユニット20も含む。ユニット20は、加圧ガスの圧力をタンク10aから10c内の第1および第2の配合物F1およびF2ならびにバインダF3に作用させることができるように構成される。したがって、システム1の動作の間、加圧ガスの圧力が、図1に矢印で示すように、第1および第2の配合物F1およびF2ならびにバインダF3の液体表面に作用する。
【００３１】
本実施形態では、加圧ガス供給ユニット20はコンプレッサである。しかしながら、別法として、加圧ガス貯蔵タンクが使用されてもよい。さらに、本実施形態では、加圧ガスは加圧空気である。しかし、別法として、システム1内で使用される配合物およびバインダと反応しない別のガスが使用されてもよい。例示していないが、ユニット20は、第1から第3のタンク10aから10cに供給される加圧ガスの圧力を検出するセンサを含む。このセンサから得られた情報が、後に説明する制御ユニットに、動作パラメータとして入力されてよい。
【００３２】
システム1は、第1から第3の貯蔵タンク10aから10cに可撓管200a，200b，200cを通じて流体接続される、第1から第3の施与ユニット30a，30b，30cも含む。本実施形態では、第1から第3の施与ユニット30aから30cは互いに接合される。図2および図3から理解できるように、第1の施与ユニット30aは複数のノズル300aを含み、それらは、基材Sに面するように、1列に並んで、特に基材Sの搬送方向と直交する方向に1列に並んで配設される。第1の施与ユニット30aは、タンク10a内の第1の配合物F1をユニット20からの加圧ガスの作用によってノズル300aから基材Sに向かって噴霧することができるように構成される。第2および第3の施与ユニット30bおよび30cも、同じ構造を有する。第2の施与ユニット30bも、基材Sに面するように1列に並んで配設された、複数のノズル300bを含み、タンク10b内の第2の配合物F2をユニット20からの加圧ガスの作用によってノズル300bから基材Sに向かって噴霧することができる。第3の施与ユニット30cも、基材Sに面するように1列に並んで配設された、複数のノズル300cを含み、タンク10c内のバインダF3をユニット20からの加圧ガスの作用によってノズル300cから基材Sに向かって噴霧することができる。
【００３３】
さらに詳細には、図2Aに大まかに例示するように、例えば、第1の施与ユニット30aが、ノズル300aに対応する複数の第1の弁310aを含む。第1の弁310aは、第1の配合物F1がタンク10aからノズル300aに流れるようにするか、または流れるのを阻止するために、開放/閉鎖されるように動作可能である。これらの弁の開放および閉鎖は、以下で説明する制御ユニット40から受領した信号に従って電子的に制御される。図2Aから容易に理解できるように、第2の施与ユニット30bも、ノズル300bに対応する複数の第2の弁310bを含む。第2の弁310bは、第2の配合物F2がタンク10bからノズル300bに流れるようにするか、または流れるのを阻止するために、開放/閉鎖されるように動作可能である。さらに、第3の施与ユニット30cも、ノズル300cに対応する複数の第3の弁310cを含む。第3の弁310cは、バインダF3がタンク10cからノズル300cに流れるようにするか、または流れるのを阻止するために、開放/閉鎖されるように動作可能である。
【００３４】
本実施形態では、単一の加圧ガス供給ユニット20が施与ユニット30aから30cによって共用される。しかしながら、複数の加圧ガス供給ユニットが、施与ユニット30aから30cの各々に対応して割り振られてよい。さらに、(2種類の流体配合物しか使用されない場合に)2つの施与ユニットしか準備されなくてもよく、4つ以上の施与ユニットが準備されてもよい。
【００３５】
システム1は、第1から第3の施与ユニット30aから30cに作用的に接続される、電子制御ユニット(すなわちコントローラ)40も含む。入力ユニット42も制御ユニット40に接続される。基材S上への第1および第2の配合物F1およびF2ならびにバインダF3の施与様式、すなわち換言すれば、第1および第2の配合物F1およびF2ならびにバインダF3を使用して基材S上に描かれる「ピクチャ」が、入力ユニット42を使用して制御ユニット40に入力される。
【００３６】
入力ユニット42から「ピクチャ」に関係するデータを受領すると、制御ユニット40は、そのデータに基づいて、第1から第3の施与ユニット30aから30cの噴霧動作を個別に制御することができるように構成される。より正確に言うと、制御ユニット40は、第1から第3の弁310aから310cの開放/閉鎖動作を個別に制御することができるように構成される。例えば、第1の施与ユニット30aは、制御ユニット40の制御下で、第1の配合物F1を基材S上の第1の配合物F1のターゲットエリアに向かって噴霧する。第1の配合物F1のターゲットエリアは、施与プロセスにかけられた後の基材Sの、すなわち図4に示す顔用マスクMの、ドットを使用して表した領域400aに対応する。第2の施与ユニット30bも、制御ユニット40の制御下で、第2の配合物F2を基材S上の第2の配合物F2のターゲットエリアに向かって噴霧する。第2の配合物F2のターゲットエリアは、図4に示す顔用マスクMの、斜線を使用して表した領域400bに対応する。さらに、第3の施与ユニット30cも、制御ユニット40の制御下で、バインダF3を第1の配合物F1のターゲットエリアと第2の配合物F2のターゲットエリアとの間の境界エリアに向かって噴霧する。このターゲットエリアは、図4に示す顔用マスクMの、斜交平行線を使用して表した領域400cに対応する。
【００３７】
本実施形態では、第2の配合物F2の領域400bは、使用者の目、鼻、および口を取り囲むように存在する。図4では、使用者の目および口に対応する、基材Sに開いた開口が、参照番号410および420によって表されている。第1の配合物F1の領域400aは、第2の配合物F2の領域400bを取り囲むように存在する。U字形スリット430によって画定される鼻フラップも、第1の配合物F1の領域400aである。バインダF3の狭い領域400cが、スリット430の付近を除き、領域400aと領域400bとの間に存在する。
【００３８】
システム1は、基材Sを基材Sの表面に平行な方向、すなわち図3および図4に表した方向Lに沿って搬送するための、コンベヤ50、例えばベルトコンベヤも含む。さらに、第1から第3の施与ユニット30aから30cが、1対のガイドレール60a，60bによって、ユニット30aから30cがこの1対のガイドレール60a，60b間に挟まれている状態で変位可能に支持される。換言すれば、第1から第3の施与ユニット30aから30cは、ガイドレール60a，60bに沿って高速で基材の搬送方向Lと直交する方向Tに往復移動することができるように構成される。ユニット30aから30cの高速往復移動は、例えば、リニアアクチュエータ(図示せず)を使用して実現される。他の実施形態では、第1から第3の施与ユニット30aから30cが定位置に固定されなくてもよく、またはコンベヤ50が使用されなくてもよい。
【００３９】
「ピクチャ」に関係するデータに基づいて、制御ユニット40は、施与ユニット30aから30cおよびコンベヤ50が協調的に動作するように、施与ユニット30aから30cの施与動作および往復移動ならびにコンベヤ50の搬送動作を同時に制御する。その結果、基材Sが施与ユニット30aから30cの下を通過する時、第1および第2の配合物F1およびF2ならびにバインダF3がそれぞれ、それらの指定されたエリア上に施与される。図4では、施与プロセスにまだかけられていない基材Sが、施与ユニット30aから30cの上流側に示されており、施与プロセスが完了した基材S、すなわち顔用マスクMが、施与ユニット30aから30cの下流側に示されている。
【００４０】
一代替実施形態では、加圧ガス供給ユニット20が省かれ、その代わりに、タンク10aが、加圧ガスの圧力を第1の配合物F1に作用させることができるように構成され、タンク10bが、加圧ガスの圧力を第2の配合物F2に作用させることができるように構成される。
【００４１】
以下、図5から図8を参照して、2種の流体配合物およびバインダを基材上に施与するための方法であって、施与が上記したシステムを使用して実行される方法の一実施形態について説明する。一例として、使用される基材Sの全体表面積は314cm2であり、それは、目、口用の開口、および鼻用のスリットを備えた、顔用マスクの形状をとる。基材当たりの配合物のターゲット施与量は20グラムである。さらに、本実施形態では、配合物の単位面積当たりの施与レベルは、少なくとも300グラム/m2である。
【００４２】
本施与方法の実行の間、まず、第1および第2の配合物F1およびF2ならびにバインダF3が提供される。一例として、第1および第2の配合物F1およびF2として、以下の表1に示す構成成分を含む配合物が使用されてもよい。
【００４３】
【表１】
2018171567.tif 000003
【００４４】
次に、基材Sがコンベヤ50上にセットされる。基材Sをセットした後、コンベヤ50および第1から第3の施与ユニット30aから30cが、制御ユニット40によって動作する。その中で、第1の配合物F1が、加圧ガスの作用によって基材S上の第1の配合物F1のターゲットエリアに向かって施与される。第2の配合物F2も、加圧ガスの作用によって基材S上の第2の配合物F2のターゲットエリアに向かって施与される。さらに、バインダF3も、加圧ガスの作用によって第1の配合物F1のターゲットエリアと第2の配合物F2のターゲットエリアとの間の境界エリアに向かって施与される。第1および第2の配合物F1およびF2ならびにバインダF3の施与動作、施与ユニット30aから30cの往復移動、ならびにコンベヤ50による基材Sの搬送が、制御ユニット40の制御下で協調的に実行される。その結果、基材Sが第1から第3の施与ユニット30aから30cの下を完全に通過すると、第1の配合物F1が領域400aに施与されており、第2の配合物F2が領域400bに施与されており、バインダF3が領域400cに施与されている最終製品、すなわち顔用マスクMが、図4に示すように得られる。
【００４５】
本施与方法によれば、コンベヤ50および第1から第3の施与ユニット30aから30cは、制御ユニット40の制御下で協調的に動作するようになっており、それにより、十分な量の第1および第2の配合物F1およびF2ならびにバインダF3がそれぞれ、領域400aから400cに施与される。このようにして得られた顔用マスクMでは、施与された第1および第2の配合物F1およびF2が、乾燥したバインダF3によって完全に分離している。したがって、第1および第2の配合物F1およびF2の混合は、長い時間期間にわたって容易に発生せず、この顔用マスクは、その製造の数日後でさえ使用することができる。
【００４６】
上記したように製造されるマスクが、直ちに使用されるものである場合、バインダの施与を省くことができる。この場合、システム1は、第3の施与ユニット30cを含む必要がない。さらに、上記したように製造されるマスクは、配合物F1およびF2の安定性に影響を及ぼさない温度、例えば70℃の、熱気または同様のものを使用して、完全にまたは部分的に直ちに乾燥されてよい。この場合、水組成物全体が完全に乾燥され、その結果、ポリオール、オイル、および活性成分だけがマスク中に残る。乾燥したマスクはその後、小袋内に収容/パッケージングされる。この処理にかけられるマスクは、使用の直前に使用者によって水を用いて湿潤される。
【００４７】
上記した実施形態では、基材S上に施与される液体の量、特に第1の配合物F1および第2の配合物F2の量が、以下のパラメータ1から4、
1. ガス圧力、
2. 配合物を用いて基材上に描かれる「ピクチャ」の解像度、
3. ノズルのサイズ(ノズルの口径)、および
4. 基材を搬送する速度
に応じて変わる。
これらのパラメータ1から4を変更することによって、基材S上への第1の配合物F1および第2の配合物F2の施与量が調整される。図5から図8は、これらのパラメータと配合物の単位面積当たりの施与レベル[gsm]との関係ならびに配合物の施与レベルと施与量[グラム]との関係を例示している。
【００４８】
図5の折れ線グラフは、配合物の単位面積当たりの施与レベル[gsm]と空気圧力[バール]との関係を例示している。この場合、基材の搬送速度は最大値の70%であり、ノズルサイズ、すなわちノズルの口径(図2Bに「d」と表示)は150μmであり、「ピクチャ」の解像度は76.2DPIである。図5から、空気圧力が増加するにつれて配合物の施与レベルが増加することが理解できる。
【００４９】
図6の折れ線グラフは、配合物の単位面積当たりの施与レベル[gsm]と配合物を用いて基材上に描かれる「ピクチャ」の解像度[DPI]との関係を例示している。この場合、基材の搬送速度は最大値の50%であり、ノズルサイズは150μmであり、空気圧力は1.5バールである。図6から、「ピクチャ」の解像度が増加するにつれて配合物の施与レベルが増加することが理解できる。
【００５０】
図7の折れ線グラフは、配合物の単位面積当たりの施与レベル[gsm]とノズルのサイズ[μm]との関係を例示している。図7では、実線が、基材の搬送速度が最大値の50%でありかつ「ピクチャ」の解像度が50.8DPIである場合を表し、点線が、基材の搬送速度が最大値の70%でありかつ「ピクチャ」の解像度が76.2DPIである場合を表している。図7から、ノズルサイズが増加するにつれて配合物の施与レベルが増加することが理解できる。
【００５１】
図8の折れ線グラフは、基材上への配合物の施与量[グラム]と配合物の単位面積当たりの施与レベル[gsm]との関係を例示している。図8から、基材Sの全体表面積が314cm2であるとき、ターゲット施与量20グラムが施与レベル約634[gsm]によって達成されることが理解できる。
【００５２】
以上、本発明の好ましい実施形態について、上で図面を参照して説明してきた。しかしながら、本発明はこれらの実施形態に限定されず、本発明の趣旨および範囲から逸脱することなく、上記した実施形態にさまざまな修正および変更が加えられてよく、そのような修正および変更は、本発明の範囲内に含まれる。
【符号の説明】
【００５３】
1  システム
10a  第1の貯蔵タンク、第1のタンク、第1の貯蔵ユニット
10b  第2の貯蔵タンク、第2のタンク、第2の貯蔵ユニット
10c  第3の貯蔵タンク、第3のタンク、第3の貯蔵ユニット
20  加圧ガス供給ユニット
30a  第1の施与ユニット、第1のアプリケータ
30b  第2の施与ユニット、第2のアプリケータ
30c  第3の施与ユニット、第3のアプリケータ
40  電子制御ユニット、コントローラ
42  入力ユニット
50  コンベヤ
60a  ガイドレール
60b  ガイドレール
100  可撓管
200a  可撓管
200b  可撓管
200c  可撓管
300a  ノズル
300b  ノズル
300c  ノズル
310a  第1の弁
310b  第2の弁
310c  第3の弁
400a  領域
400b  領域
400c  領域
410  開口
420  開口
430  U字形スリット
d  ノズルの口径
F1  第1の配合物、第1の液体
F2  第2の配合物、第2の液体
F3  速乾性バインダ、第3の液体
L  搬送方向
M  顔用マスク、製品
S  基材
T  方向
【図１】
2018171567.tif 000004
【図２Ａ】
2018171567.tif 000005
【図２Ｂ】
2018171567.tif 000006
【図３】
2018171567.tif 000007
【図４】
2018171567.tif 000008
【図５】
2018171567.tif 000009
【図６】
2018171567.tif 000010
【図７】
2018171567.tif 000011
【図８】
2018171567.tif 000012
【外国語明細書】
2018171567000001.pdf